(57)【要約】【課題】  カメラスタンド機能を具備したデジタルカメラにおいて、カメラ本体側面のスペースを有効に使用しつつ、ユーザが撮影した画像をより簡単に楽しみ易くすることを目的とする。【解決手段】  本発明は、レンズバリアを備えた沈胴式の鏡筒を具備したデジタルカメラにおいて、画像再生時にレンズバリアが閉じた状態で前記鏡筒が前後に駆動可能であり、前記鏡筒をカメラ本体の支えとして自立することを特徴とする。また、前記鏡筒の繰り出し量を変化させることでカメラ本体を縦横自由に置くことができ、さらにカメラ本体、及び液晶表示パネルを任意の角度に調節できるようにしたものである。【選択図】  図８
2009288639.tif 000002
【特許請求の範囲】
【請求項１】
画像表示手段である液晶表示パネル２１とレンズバリア３１を備えた沈動式の鏡筒１６を有する撮像装置において、画像再生時に前記鏡筒１６が前後に駆動可能であることを特徴とする撮像装置。
【請求項２】
画像再生時に前記鏡筒１６を前後に駆動させている際、前記レンズバリア３１が閉じた状態になっていることを特徴とする請求項１に記載の撮像装置。
【発明の詳細な説明】
【技術分野】
【０００１】
本発明は、画像データを表示する画像表示手段と沈動式の鏡筒を備えたデジタルカメラに係り、撮影した画像データを再生する際の再生手段に関するものである。
【背景技術】
【０００２】
デジタルカメラは様々な条件で撮影が可能なことだけでなく、撮影した画像を容易に再生でき楽しめることが重要である。そこで、撮影した画像を再生し鑑賞する際にカメラを手にしなくても鑑賞できるように充電器を兼ねた専用のカメラスタンドにカメラを立てるとスライドショー形式で画像再生が始まるようにしたものがある（特許文献１参照。）。また、カメラ本体背面にヒンジ結合を介し展開可能なスタンド部材を備え、画像表示部を任意の角度に固定して画像を鑑賞できるようにしたものがある（特許文献２参照。）。
【特許文献１】特開２００６−５４７３７号公報
【特許文献２】特開２０００−２８４３５７号公報
【発明の開示】
【発明が解決しようとする課題】
【０００３】
しかしながら、前記のような専用のカメラスタンドにカメラを立てる場合、外出先で画像を鑑賞する際に前記カメラスタンドを携帯しておく必要がありユーザにとって煩わしい。また、カメラ本体にスタンド部材を具備させる場合、カメラ本体側面にスタンド部材を収納するスペースが必要となるためスペースの有効活用ができない。また、これらのスタンドを使用する場合、カメラ本体に対して一方向でしか使用できない。そのため、例えばカメラ本体を正位置に対して９０度、ないしは２７０度回転させて撮影（以下、「縦撮り」と呼ぶ）した画像をカメラ本体を正位置で置いたまま再生すると、撮像素子のアスペクト比の関係で左右に黒い余白を持った状態で表示されてしまう。そのため、従来よりも画像表示領域が小さくなってしまうためユーザにとって再生された画像が見づらくなってしまう。別の例では、カメラ本体を正位置で置いたまま再生すると縦撮りした画像が９０度、ないしは２７０度回転した状態で表示されるものもある。この場合はカメラ本体を縦置きしなくては画像が見づらくなってしまう。また、薄く、丸みを帯びた形状のカメラが多くなってきておりカメラ本体だけでは立たないものが増えてきている。本発明は上記のような事情に鑑みてなされたものでカメラ本体側面のスペースを有効に使用しつつ、ユーザが撮影した画像をより簡単に楽しみ易くすることを目的とする。
【課題を解決するための手段】
【０００４】
上記目的を達成するために本出願に係る発明はレンズバリアを備えた沈胴式の鏡筒を具備したデジタルカメラであって、画像再生時に前記レンズバリアが閉じた状態で前記鏡筒が前後に駆動可能であり、前記鏡筒をカメラ本体の支えとして自立することを特徴とする。また、前記鏡筒の繰り出し量を変化させることで前記カメラ本体を縦横自由に置くことができ、さらに前記カメラ本体、及び液晶表示パネルを任意の角度に調節できるようにしたものである。
【発明の効果】
【０００５】
本発明によれば、専用のカメラスタンドを別途用意する必要がないためカメラのみで、より画像を楽しみ易くなる。また、従来のスタンド部材を鏡筒が兼ねることにより、スタンド部材が収納されていたカメラ本体側面のスペースを有効に利用することができる。さらに、横長、縦長の画像に応じてカメラ本体を横向きにも縦向きにも置くことができるため画像をより鑑賞し易くなる。
【発明を実施するための最良の形態】
【０００６】
次に、本発明の詳細を実施例の記述に従って説明する。
【０００７】
以下、本発明の実施形態について図面を参照して説明する。
【０００８】
図１は本発明の一実施形態のカメラを前方斜め上から見た外観斜視図であり、図２は図１のカメラを背面斜め上から見た外観斜視図である。１１は略箱形のカメラ本体、１２はストロボのフレネルレンズ、１３は静止画ないし動画を撮影する際に押下するレリーズボタンで半押しするとフォーカスと露出がロックされ、全押しで撮影をすることができる。１４は電源ボタンで電源ＯＮ、電源ＯＦＦを切り替える。１５はズームレバーで時計回りに回転させるとテレ側に、半時計回りに回転させるとワイド側に撮影レンズを移行することができ撮影の画角を変更することができる。１６は１７の対物レンズを含む光学系を具備した鏡筒であり、電源ＯＮ時は繰り出した状態、電源ＯＦＦ時はカメラ本体１１内に格納された状態となる。前記鏡筒１６は画像再生時、前記カメラ本体１１の支えとなる場合がある、そのため堅固であることが望ましい。２１は再生画像表示手段となる液晶表示パネルで、撮影レンズを介して撮像素子の受光面に結像した撮影前の被写体像を表示する。ないしは撮影後記録された画像を表示する。２２は画像拡大ボタンで画像再生時、画像を拡大、縮小することができる。２３はモードスイッチであり、モードスイッチをスライドさせることで静止画撮影モード、動画撮影モード、画像再生モード、カメラスタンドモードの切り替えが可能である。画像再生モードは、鏡筒１６がカメラ本体１１内に格納され、ユーザがカメラ本体を手で持って再生画像を楽しむことができるモードである。また、カメラスタンドモードは鏡筒１６をカメラ本体１１の支えとし、カメラ本体１１を自立させるハンズフリータイプの画像再生モードである。図３から図７を参照してカメラスタンドモードの詳細を説明する。図３はカメラスタンドモード時のカメラを前方斜め上から見た外観斜視図である。カメラスタンドモード時は図３に示すようにレンズバリア３１が閉じた状態にある。これは、鏡筒１６内への塵の進入や、対物レンズ１７への汚れの付着や傷を避けるためである。図４はカメラスタンドモードを使用してカメラ本体１１を横置きしたときの図、図５は縦置きしたときの図である。本発明では、カメラ本体１１の略中心にある鏡筒１６を支えとしているため、ズームレバー１５を使用し鏡筒１６の繰り出し量を変化させることで図４、図５に示すようにカメラ本体１１を縦横自由に立てることができる。デジタルカメラの中には、縦撮りした画像をカメラ本体を正位置で置いて再生すると図６に示すように撮像素子のアスペクト比の関係で画像の両端が黒い余白を持って表示されるが、カメラ本体を縦に置くことで図７に示すように画像表示領域を狭めることなく画像を表示できるものがある。そのため図４、図５に示すように縦横自由に立てることが可能になることにより、ユーザはより見易い大きさで画像を楽しむことができる。また、ズームレバー１５を使用して前記鏡筒１６の繰り出し量を変化させることによりカメラ本体１１、及び液晶表示パネル２１の傾斜角度を自由に調整することができる。これにより、ユーザは姿勢を変えたりすることなく自分の見易い角度に調整して画像を楽しむことができる。次に図８を参照してモード切替処理手順を示したフローチャートについて説明する。ステップ１０１において画像再生モードか撮影モードかを確定する。画像再生モードであった場合、ステップ１０２において通常の画像再生モードか、或いはカメラスタンドモードかを確定する。カメラスタンドモードであった場合、ステップ１０３においてユーザがズームレバー１５を操作すると、ステップ１０４にて不図示のズームモータに通電し、ステップ１０５において鏡筒１６が繰り出す。この処理により、ユーザはカメラ本体１１、及び液晶表示パネル２１の傾斜角度を任意の角度に調整することができる。なお、この際、バリアモータ４５には通電されないためレンズバリア４６、４７は閉じた状態のままである。次に、ステップ１０６においてズームレバー１５の操作が終了するとステップ１０７の画像再生に進む。前記ステップ１０２において通常の画像再生モードが選択させた場合、直ちにステップ１０７の画像再生に進む。この際、鏡筒１６が繰り出していた場合は、直ぐに撮影に移行できるように鏡筒１６は一定時間繰り出した状態であるが、一定時間が経過すると保護のため鏡筒１６はカメラ本体１１内に収納される。前記ステップ１０１で静止画撮影モード、ないしは動画撮影モードが選択された場合、ステップ１０８に移行し、バリアモータ４５に通電され、ステップ１０９でレンズバリア３１が開状態となる。次にステップ１１０で前記不図示のズームモータに通電され、ステップ１１１で鏡筒１６が沈端からワイド位置まで繰り出される。ステップ１１２でレリーズボタンが押下されるとステップ１１３で撮影される。
【０００９】
図９と図１０を参照してバリア駆動機構について説明する。４１は鏡筒枠で、撮影開口部４１aと、レンズバリア４６、レンズバリア４７が回転可能に嵌合する嵌合穴４１b、嵌合穴４１cと、バリアモータ４５のギア部４５aの挿入穴４１dが設けられている。４２はバリアリングで撮影開口部４１aの外周に回転可能に嵌合しており、レンズバリア４６、レンズバリア４６４７の開閉を行う。外周にはレンズバリア４６、レンズバリア４７を回転駆動させる切り欠き部４２a、４２bと、バリアスプリング４３、バリアスプリング４４を掛けるフック部４２c、フック部４２dとバリアモータ４５のギア部４５aと噛み合う歯部４２eが設けられている。４６、４７はレンズバリアでバリアリング４２の上面に配置され、軸部４６a、軸部４７aが鏡筒枠４１の嵌合穴４１b、嵌合穴４１cにそれぞれ回転可能に嵌合している。側面には、バリアリング４２の切り欠き部４２a、４２bの端面４２f、４２gに当接し、バリアリング４２の回転に連動する連動凸部４６b、連動凸部４７bが設けられ、下面部にはバリアスプリング４３、バリアスプリング４４を掛ける軸部４６c、軸部４７cが設けられている。バリアモータ４５のギア部４５aが時計回りに回転すると、バリアリング４２は反時計回りに回転し、レンズバリア４６、レンズバリア４７は軸部４６a、軸部４７aを中心に時計回りに回転して開き、撮影可能状態となる。また、バリアモータ４５のギア部４５aが反時計回りに回転すると、バリアリング４２が時計回りに回転し、レンズバリア４６、レンズバリア４７は軸部４６a、軸部４７aを中心に反時計回りに回転して閉じ、撮影光学系を覆う。４３、４４はバリアスプリングで、一端をバリアリング４２のフック部４２c、４２dに、他端をレンズバリア４６、レンズバリア４７の軸部４６c、軸部1４７cにそれぞれ掛け、レンズバリア４６、４７を反時計方向（バリア閉じ方向）へ付勢している。４５はバリアモータであり、バリアリング４２をバリアモータ４５で駆動させることにより、鏡筒１６がどの位置まで繰り出してもバリアモータ４５に通電しない限りレンズバリア４６、レンズバリア４７を閉じ状態に保つことができる。
【００１０】
本発明は、以上説明した実施形態に限定されることなく、種々の変形や変更が可能なことはもちろんである。例えば、上述した実施例では鏡筒を駆動する際、レンズバリアを閉じ状態にしておく手段としてバリアモータを使用した。しかしながら、バリアリングに回転を抑制するための突起を設け、鏡筒本体に前記突起のストッパーを設ることで、ある位置まで鏡筒が繰り出さないと突起がストッパーから外れないためバリアリングが回転できず、レンズバリアが開かないようにしてもよい。
【図面の簡単な説明】
【００１１】
【図１】本発明の一実施形態のカメラを前面斜め上から見た外観斜視図である。
【図２】図１のカメラを背面斜め上から見た外観斜視図である。
【図３】カメラスタンドモード時のカメラを前方斜め上から見た外観斜視図である。
【図４】カメラスタンドモードを使用して横置きしたときの図である。
【図５】カメラスタンドモードを使用して縦置きしたときの図である。
【図６】縦撮り画像をカメラ本体を横置きで再生した図である。
【図７】縦撮り画像をカメラ本体を縦置きで再生した図である。
【図８】モード切替処理手順を示すフローチャートである。
【図９】バリアが閉じた状態を示す正面図である。
【図１０】バリア駆動機構の構成を示す斜視図である。
【符号の説明】
【００１２】
１１  カメラ本体
１２  ストロボのフレネルレンズ
１３  レリーズボタン
１４  電源ボタン
１５  ズームレバー
１６  鏡筒
１７  対物レンズ
２１  液晶表示パネル
２２  モードスイッチ
３１  レンズバリア
４１  鏡筒枠
４１a  撮影開口部
４１b、４１c  嵌合穴
４１d  挿入穴
４２  バリアリング
４２a、４２b  切り欠き部
４２c、４２d  フック部
４２e  歯部
４２f、４２g  端面
４３、４４  バリアスプリング
４５  バリアモータ
４６、４７  レンズバリア
４６a、４７a  軸部
４６b、４７b  連動軸部
４６c、４７c  軸部
【図１】
2009288639.tif 000003
【図２】
2009288639.tif 000004
【図３】
2009288639.tif 000005
【図４】
2009288639.tif 000006
【図５】
2009288639.tif 000007
【図６】
2009288639.tif 000008
【図７】
2009288639.tif 000009
【図８】
2009288639.tif 000010
【図９】
2009288639.tif 000011
【図１０】
2009288639.tif 000012